(57)【要約】【課題】  簡単な構成で、幼児等を確実に保持できるシートベルトを有する座席を提供する。【解決手段】  乳母車１０の座席は、座部３０と、座部３０に連続して設けられた背もたれ部３２とを有する。乳母車１０は、一端を座部３０の中央部に固定された股ベルト１８と、股ベルト１８の他端に接続され、その後方端が、背もたれ部３２の上方に設けられた肩部貫通孔３５ａ、３５ｂを通過して背もたれ部３２の背後に導かれる、一対の肩ベルト１４ａ、１４ｂと、背もたれ部３２の背後で肩部貫通孔３５ａ、３５ｂに近接して位置し、一対の肩ベルト１４ａ、１４ｂの他方側端を長さ調節可能に受入れるとともに、一対の肩ベルト１４ａ、１４ｂが肩部貫通孔３５ａ、３５ｂから、前方に抜け出るのを禁止するベルト調整ロック部材３９ａ、３９ｂとを含む。【選択図】        図１
2006101976.tif 000002
【特許請求の範囲】
【請求項１】
座部と、前記座部に連続して設けられた背もたれ部とを有する座席であって、
一端を前記座部の中央部に固定された股ベルトと、
前記股ベルトの他端に接続され、その後方端が、前記背もたれ部の上方に設けられた肩部貫通孔を通過して前記背もたれ部の背後に導かれる、一対の肩ベルトと、
前記背もたれ部の背後で前記肩部貫通孔に近接して位置し、前記一対の肩ベルトの他方側端を長さ調節可能に受入れるとともに、前記一対の肩ベルトが前記肩部貫通孔から、前方に抜け出るのを禁止するベルト調整ロック部材とを含む、座席。
【請求項２】
前記ベルト調整ロック部材は、前記背もたれ部の背面の上方に取付けられている、請求項１に記載の座席。
【請求項３】
前記ベルト調整ロック部材は、紐を介して前記背もたれ部の背面の上方に取付けられている、請求項２に記載の座席。
【請求項４】
前記ベルト調整ロック部材は、前記一対の肩ベルトにのみ連結されている、請求項２に記載の座席。
【発明の詳細な説明】
【技術分野】
【０００１】
この発明は、乳母車、育児椅子、車椅子等に使用される座席に関し、特に幼児等を確実に保持できるシートベルトを有する座席に関する。
【背景技術】
【０００２】
従来、たとえば、乳母車に使用される座席には、座部に取付けられた股ベルトと、股ベルトに対して、着脱自在に取付けられた、左右の腰ベルトの３点式のシートベルトが設けられていた。幼児が小さい間は、動きが少ないので、このような３点式のシートベルトでも特に問題はない。しかしながら、幼児が成長するにつれて、幼児は、乳母車の中で動くようになり、３点式のシートベルトでは、幼児が乳母車の中で、立ち上がったりするようになる。これは、危険であるので、幼児を乳母車の中で安全に保持する必要があり、チャイルドシートのような、５点式のシートベルトの採用が考えられる。
【０００３】
そのような、５点式のシートベルトを採用した座席を乳母車に適用した例が、たとえば、特公平５−１５２４９号公報（特許文献１）に記載されている。同公報によれば、５点式シートベルトの２本の肩ベルトの端部が、背当て部の背面に取付けられた巻取り機構に取付けられ、巻取り機構は、巻取り方向の力を付勢して幼児を保持するようになっている。
【特許文献１】特公平５−１５２４９号公報（図１〜図４等）
【発明の開示】
【発明が解決しようとする課題】
【０００４】
従来の、乳母車に使用される、５点式のシートベルトを有する座席は、上記のように構成されていた。座席のシートベルトは、常時巻取り方向に付勢されており、幼児は確実に所定の力で保持されるが、乳母車においては、ここまで強固な固定は不要であるとともに、巻取り機構が設けられているため、構成が複雑であり、折り畳み式乳母車への適用が困難である等の問題があった。
【０００５】
この発明は上記のような問題点に着目してなされたもので、簡単な構成で、幼児等を確実に保持できるシートベルトを有する座席を提供することを目的とする。
【課題を解決するための手段】
【０００６】
この発明に係る、座部と、前記座部に連続して設けられた背もたれ部とを有する座席は、一端を座部の中央部に固定された股ベルトと、股ベルトの他端に接続され、その後方端が、背もたれ部の上方に設けられた肩部貫通孔を通過して背もたれ部の背後に導かれる、一対の肩ベルトと、背もたれ部の背後で肩部貫通孔に近接して位置し、一対の肩ベルトの他方側端を長さ調節可能に受入れるとともに、一対の肩ベルトが肩部貫通孔から、前方に抜け出るのを禁止するベルト調整ロック部材とを含む。
【０００７】
一対の肩ベルトが、股ベルトの他端に接続され、背もたれ部の上方に設けられた肩部貫通孔を通過して背もたれ部の背後に導かれ、背もたれ部の背後で肩部貫通孔に近接して位置するベルト調整ロック部材によって、その長さを調節されるとともに、肩ベルトが肩部貫通孔から、前方に抜け出るのを禁止される。
【０００８】
その結果、簡単な構成で、幼児等を確実に保持できるシートベルトを有する座席を提供できる。
【０００９】
好ましくは、ベルト調整ロック部材は、背もたれ部の背面の上方に取付けられている。
【００１０】
この取り付けは、ベルト調整ロック部材が、紐を介して背もたれ部の背面の上方に取付けられてもよいし、ベルト調整ロック部材は、一対の肩ベルトにのみ連結されるように取付けられてもよい。
【発明を実施するための最良の形態】
【００１１】
以下この発明の実施の形態を図面を参照して説明する。図１は、この発明の一実施の形態に係る座席が、乳母車に適用された場合における、座席を示す斜視図である。図１（Ａ）は乳母車の座席の正面側の斜視図であり、図１（Ｂ）は、図１（Ａ）に示した乳母車の座席の背もたれ部の背面側を示す斜視図である。
【００１２】
図１を参照して、この実施の形態においては、乳母車１０の座席は、座部３０と、座部３０に連続して設けられた背もたれ部３２と、座部３０および背もたれ部３２をサポートする図示の無い本体フレームと、本体フレームに接続され、前後方向に設けられた脚４１ａ、４１ｂ（後脚については参照番号を省略）と、脚４１ａ、４１ｂの下端部に設けられた車輪４３ａ、４３ｂとを含む。
【００１３】
座部３０と背もたれ部３２との間には、シートベルト１２が設けられている。シートベルト１２は、座部３０の前方中央部に設けられた股ベルト１８と、股ベルト１８に取付けられた接続具２０と、座部３０の後方両端部に固定された腰ベルト１６ａ、１６ｂと、腰ベルト１６ａ、１６ｂに連続して設けられ、背もたれ部３２の上方向に延びる肩ベルト１４ａ、１４ｂとを含む。腰ベルト１６ａ、１６ｂと肩ベルト１４ａ，１４ｂとは、接続具２０で股ベルト１８と一体化され、５点式のシートベルト１２を構成する。
【００１４】
肩ベルト１４ａ，１４ｂは、背もたれ部３２の上部に設けられた２つの肩部貫通孔３５ａ，３５ｂを通って背後に導かれ、図１（Ｂ）に示すように、背面側で、ベルト調整ロック部材３９ａ、３９ｂに係合している。ベルト調整ロック部材３９ａ、３９ｂは肩部貫通孔３５ａ，３５ｂに近接して位置し、背もたれ部３２の背面の上部に縫いつけられて、固定されている。
【００１５】
図２は、図１（Ａ）において、矢印ＩＩで示す方向から見た、５点式シートベルト１２の中央部に設けられた接続具２０と、接続具２０に接続される肩ベルト１４ａ、１４ｂ、腰ベルト１６ａ、１６ｂおよび股ベルト１８の接続状態を示す図である。なお、この図では、図１と異なり、股ベルト１８は、股パッド１９を介して座部３０に接続される。
【００１６】
図２を参照して、接続具２０は、下部に股ベルト１８を通過させる股ベルト通過穴２５を有する股ベルト係止部２３を備えた本体２１と、肩ベルト１４ａ、１４ｂに、肩ベルト通過穴２４ａ，２４ｂを介して取付けられた、２つのタングプレート２２ａ、２２ｂを着脱可能に連結する、本体２１の内部に設けられたロックおよびロック解除機構（図示無し）と、本体２１の両側部に設けられ、図中矢印で示すように、座部３０の幅方向に押すことによって、タングプレート２２ａ、２２ｂの本体２１へのロックを解除するロック解除ボタン２６ａ、２６ｂとを含む。
【００１７】
ロック解除ボタン２６ａ、２６ｂの押し方向は、図に示すように、座部３０の幅方向であり、従来のワンタッチ式の場合のように、幼児のお腹を押す方向でないため、幼児の体に優しいロック解除が可能になる。
【００１８】
股ベルト１８の長さは調節可能であり、股ベルト通過穴２５に係合している側の反対側の端部１８ａは、座部３０に固定された図中点線で示す股パッド１９に固定されている。図２に示すように、接続具２０以外の部分は、股パッド１９で覆われ、幼児の股部を保護している。
【００１９】
図３は、座部３０および背もたれ部３２を示す図である。ここでは、シートベルト１２の図示は省略している。図３を参照して、座部３０の、背もたれ部３２の付け根近傍の両端部には、腰ベルト１６ａ，１６ｂの一端を座部の下面側で固定するために、腰ベルト１６ａ，１６ｂを下面側へ通すための、腰ベルト用貫通孔２８ａ、２８ｂが設けられている。また、座部３０の中央部には、股ベルト１８に接続された股パッド１９の端部が接続されている。股パッド１９の上部には、接続具２０を覆うための、接続具カバー１９ａが設けられている（図２には図示無し）。
【００２０】
腰ベルト１６ａ、１６ｂが、座部３０の背もたれ部３２の付け根近傍の両端部でその下面側に固定されているため、乳母車１０に乗った幼児の骨盤位置を拘束できる。
【００２１】
なお、腰ベルト１６ａ、１６ｂの一端は、座部３０の上面側で固定してもよい。
【００２２】
背もたれ部３２の上方には、上記したように、一対の肩ベルト１４ａ、１４ｂを背面側へ通すための、肩部貫通孔３５ａ、３５ｂが設けられている。この肩部貫通孔３５ａ，３５ｂは、図に示すように、固定して２箇所設けてもよいし、幼児のサイズに応じて適合できるよう、上下方向に複数組設けてもよい。
【００２３】
次に、背もたれ部３２の背面について説明する。図４は、図１（Ｂ）において、矢印ＩＶで示す、背もたれ部３２の背面を示す拡大図である。図４を参照して、背もたれ部３２の背面の上部には、上記した肩部貫通孔３５ａ、３５ｂが設けられている。この肩部貫通孔３５ａ、３５ｂを通過した肩ベルト１４ａ、１４ｂの端部は、肩ベルト１４ａ、１４ｂの長さを調節するための、ベルト調整ロック部材３９ａ、３９ｂに係合している。
【００２４】
上記のように、背面側に延びる肩ベルト１４ａ、１４ｂが、背もたれ部３２の上部に固定されたベルト調整ロック部材３９ａ、３９ｂに固定されるため、チャイルドシートにおける５点式シートベルトの場合のように、背もたれ部３２の背面の中央部を通って、肩ベルト１４ａ、１４ｂが背もたれ部３２の下端部まで延びることはない。その結果、背もたれ部３２の背面部中央を、図４に示すように、袋部３３や、図示のない、通気部として利用可能である。通気部として利用する場合は、上記した、幼児のサイズに適合するための、上下方向に設けられた複数組の肩部貫通孔３５を通気孔として利用してもよい。
【００２５】
次にベルト調整ロック部材３９ａ、３９ｂについて説明する。ベルト調整ロック部材３９ａ、３９ｂは、平行な複数の長溝を有するプレートであって、その一端は、紐である、固定ベルト３８ａ、３８ｂを介して、背もたれ部３２の背面側の縫製部３７ａ、３７ｂに固定されており、それによって、ベルト調整ロック部材３９ａ、３９ｂが背もたれ部３２の表側に抜け出さないようにされている。肩ベルト１４ａ、１４ｂは、ベルト調整ロック部材３９ａ、３９ｂの上記した複数の長溝に挟まれた平行な棒状部材に係合し、その端部を引くことによって、肩ベルト１４ａ、１４ｂの長さの調節が可能となる。
【００２６】
なお、ここで、固定ベルト３８ａ、３８ｂとなる紐は、所定の径を有する紐状のもの、ベルト、所定の幅を有する帯状部材等を含むものとする。
【００２７】
このベルト調整ロック部材３９ａ、３９ｂによる、肩ベルト１４ａ、１４ｂの取付け状態の模式図を図５（Ａ）に示す。図５（Ａ）に示すように、この実施の形態においては、固定ベルト３８ａ、３８ｂによって、肩部貫通孔３５ａ、３５ｂに近接するように配置されたベルト調整ロック部材３９ａ、３９ｂによって、肩ベルト１４ａ、１４ｂの長さ調節と、抜け防止が行なわれている。
【００２８】
次に、この発明の他の実施の形態について説明する。上記実施の形態においては、ベルト調整ロック部材３９ａ、３９ｂの一端を紐状の固定ベルト３８を用いて、背もたれ部３２の背面側で縫製によって固定した。これに対して、この実施の形態においては、ベルト調整ロック部材３９ａ、３９ｂを固定しない。この場合のベルト調整ロック部材３９ａ、３９ｂによる、肩ベルト１４ａ、１４ｂの取付け状態の模式図を図５（Ｂ）に示す。図５（Ｂ）に示すように、この実施の形態においては、ベルト調整ロック部材３９ａ、３９ｂは、一対の肩ベルト１４ａ、１４ｂにのみ連結されて、肩ベルト１４ａ、１４ｂの長さ調節と、抜け防止が行なわれている。
【００２９】
すなわち、この実施の形態においては、図５（Ｂ）に示すように、肩部貫通孔３５ａ、３５ｂの孔の寸法をベルト調整ロック部材３９ａ、３９ｂより小さくしておく。それによって、ベルト調整ロック部材３９ａ、３９ｂは肩部貫通孔３５ａ，３５ｂを通過できないため、ベルト調整ロック部材３９ａ、３９ｂが背もたれ部３２の表側に抜け出る心配はない。
【００３０】
なお、上記実施の形態においては、乳母車にこの発明の一実施の形態に係る座席を適用した場合について説明したが、これに限らず、育児椅子や車椅子等の座席についても、同様に適用される。
【００３１】
また、上記実施の形態においては、腰ベルトに連続して肩ベルトが設けられる場合について説明したが、これに限らず、腰ベルトと肩ベルトとは、別々に設けられ、それらが、股ベルトに取付けられた接続具に接続される構成であってもよい。
【００３２】
また、腰ベルトは無しで、肩ベルトのみが股ベルトに取付けられた接続具に接続され構成であってもよい。
【００３３】
また、上記実施の形態においては、一対の肩ベルトのそれぞれに設けられたベルト調整ロック部材で、背もたれ部の背面側で固定する場合について説明したが、これに限らず、ベルト調整ロック部材を個別に設けることなく、一体化して、それを背もたれ部の背面側で固定してもよい。
【００３４】
上記実施の形態においては、股ベルトは股パッドを介して座部に固定されている場合について説明したが、これに限らず、股パッドを介することなく、股ベルトを直接座部に固定してもよい。
【００３５】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００３６】
この発明にかかる座席は、簡単な構成で、幼児等を確実に保持できるシートベルトを有するため、シートベルトを有する座席として、有利に利用される。
【図面の簡単な説明】
【００３７】
【図１】この発明の一実施の形態に係る乳母車を示す図である。
【図２】図１（Ａ）において矢印ＩＩで示す部分の矢視図である。
【図３】乳母車の座部と背もたれ部とを示す図である。
【図４】図１（Ｂ）において矢印ＩＶで示す部分の矢視図である。
【図５】ベルト調整ロック部材による、肩ベルトの取付け状態を示す模式図である。
【符号の説明】
【００３８】
１０  乳母車、１２  シートベルト、１４  肩ベルト、１６  腰ベルト、１８  股ベルト、１９  股パッド、２０  接続具、２１  本体、２２  タングプレート、２８  腰ベルト用貫通孔、３０  座部、３２  背もたれ部、３５  肩部貫通孔３９  ベルト調整ロック部材。
【図１】
2006101976.tif 000003
【図２】
2006101976.tif 000004
【図３】
2006101976.tif 000005
【図４】
2006101976.tif 000006
【図５】
2006101976.tif 000007